(57)【要約】【課題】本発明の目的は、容器の本体とカバー体とを掛留する掛留具において、狭い空間に配置された容器の場合であっても、操作性に優れた容器の掛留具を提供することにある。【解決手段】容器としてのエアクリーナケースのカバー体９の軸体６に回転自在に軸支された板状の掛留部２を設け、その掛留部２の外周面をルーローの三角形状に形成した。また、エアクリーナケースの本体８に被掛留部３を設けた。そして、掛留部２を回転させることにより、掛留部２及び被掛留部３に巻き掛けられた環状体４が弛緩状態から緊張状態へと変化するようにした。【選択図】図１
2010014227.tif 000002
【特許請求の範囲】
【請求項１】
容器の本体とカバー体とを掛留する掛留具において、前記容器の本体又はカバー体のいずれか一方に形成された軸体に回転自在に軸支された板状の掛留部を設け、その掛留部を設けない他方に被掛留部を設け、前記掛留部の回転中心と外周面との距離が、その外周面の一部とその他の部分との間で異なるように前記外周面を形成すると共に、前記掛留部を回転させることにより、前記掛留部及び被掛留部に巻き掛けられた環状体が弛緩状態と緊張状態との間で変化することを特徴とする容器の掛留具。
【請求項２】
前記掛留部は、前記軸体を中心に１２０度回転したときの姿勢が同一であるように前記外周面が形成されていることを特徴とする請求項１に記載の容器の掛留具。
【請求項３】
前記掛留部に対して２個の被掛留部が相互に１２０度の角度を成すように配置され、前記掛留部とそれぞれの前記被掛留部に前記環状体が巻き掛けられていることを特徴とする請求項２に記載の容器の掛留具。
【請求項４】
前記掛留部は、前記軸体を中心に１８０度回転したときの姿勢が同一であるように前記外周面が形成されていることを特徴とする請求項１に記載の容器の掛留具。
【請求項５】
前記環状体は、金属又は合成樹脂を材質として、線状体又は帯状体が無端状に繋がれて形成されたことを特徴とする請求項１ないし４のうちいずれか一項に記載の容器の掛留具。
【請求項６】
前記掛留部の表面側には、その掛留部を回転させるための操作部が設けられていることを特徴とする請求項１ないし５のうちいずれか一項に記載の容器の掛留具。
【請求項７】
前記容器の本体又はカバー体には、前記被掛留部に対向して配置された被掛留受部が形成されていることを特徴とする請求項１ないし６のうちいずれか一項に記載の容器の掛留具。
【発明の詳細な説明】
【技術分野】
【０００１】
本発明は、容器の本体とカバー体とを掛留する掛留具に係り、詳しくは自動車のエアクリーナケースの本体に対してカバー体を掛留する容器の掛留具に関する。
【背景技術】
【０００２】
従来、自動車の内燃機関に清浄な外気を吸引するためのエアクリーナケースの本体にカバー体を固定するクランプ用フックとして、金属製のものが用いられている。
例えば、特許文献１に開示されている金属帯板製のクランプ用フックは、側面視Ｃ字状に湾曲した帯状鋼板からなる本体部の両端に係合部が形成されている。そして、一方の係合部がエアクリーナケースのカバー体の環状突起に係合し、その係合部とは反対側の係合部がエアクリーナケースの本体の係合凹所に係合して、エアクリーナケースの本体とカバー体とを締結している。そして、突起に係合する係合部には摘まみ片が設けられており、その摘まみ片の操作により、フックを係合状態としたり非係合状態としたりすることが可能となっている。
【特許文献１】特開２００２−７０８１５号公報（［要約］を参照）
【発明の開示】
【発明が解決しようとする課題】
【０００３】
ところが、前記フックは、その本体部に補強リブが形成されているため、摘まみ片を操作するには相応の力が必要であり、指先に対する反発力は小さくない。
また、自動車のエンジンルーム内はコンパクト化が図られており、様々な機器が限られた空間において有効に配置されている。そのため、エアクリーナケースのクランプ用フックを操作する空間も自ずと限定されている。すると、フックの摘まみ片を指先で引いて、エアクリーナケースの半径方向外方へフックを外そうとしても、狭い空間内では指先に力が入り難い場合があり、必ずしも作業性のよいものとはいえない。
【０００４】
本発明は、このような問題に着目してなされたものであり、その目的とするところは、容器の本体とカバー体とを掛留する掛留具において、狭い空間に配置された容器の場合であっても、操作性に優れた容器の掛留具を提供することにある。
【課題を解決するための手段】
【０００５】
上記問題を解決するために請求項１に記載の容器の掛留具の発明は、容器の本体とカバー体とを掛留する掛留具において、前記容器の本体又はカバー体のいずれか一方に形成された軸体に回転自在に軸支された板状の掛留部を設け、その掛留部を設けない他方に被掛留部を設け、前記掛留部の回転中心と外周面との距離が、その外周面の一部とその他の部分との間で異なるように前記外周面を形成すると共に、前記掛留部を回転させることにより、前記掛留部及び被掛留部に巻き掛けられた環状体が弛緩状態と緊張状態との間で変化することを特徴とするものである。
【０００６】
請求項２に記載の発明は、請求項１に記載の容器の掛留具において、前記掛留部は、前記軸体を中心に１２０度回転したときの姿勢が同一であるように前記外周面が形成されていることを特徴とするものである。
【０００７】
請求項３に記載の発明は、請求項２に記載の容器の掛留具において、前記掛留部に対して２個の被掛留部が相互に１２０度の角度を成すように配置され、前記掛留部とそれぞれの前記被掛留部に前記環状体が巻き掛けられていることを特徴とするものである。
【０００８】
請求項４に記載の発明は、請求項１に記載の容器の掛留具において、前記掛留部は、前記軸体を中心に１８０度回転したときの姿勢が同一であるように前記外周面が形成されていることを特徴とするものである。
【０００９】
請求項５に記載の発明は、請求項１ないし４のうちいずれか一項に記載の容器の掛留具において、前記環状体は、金属又は合成樹脂を材質として、線状体又は帯状体が無端状に繋がれて形成されたことを特徴とするものである。
【００１０】
請求項６に記載の発明は、請求項１ないし５のうちいずれか一項に記載の容器の掛留具において、前記掛留部の表面側には、その掛留部を回転させるための操作部が設けられていることを特徴とするものである。
【００１１】
請求項７に記載の発明は、請求項１ないし６のうちいずれか一項に記載の容器の掛留具において、前記容器の本体又はカバー体には、前記被掛留部に対向して配置された被掛留受部が形成されていることを特徴とするものである。
【００１２】
（作用）
本発明の容器の掛留具は、容器の本体とカバー体とを掛留する掛留具である。その掛留具は、容器の本体又はカバー体のいずれか一方に形成された軸体に、回転自在に軸支された板状の掛留部と、その掛留部を設けない他方に設けた被掛留部と、その掛留部と被掛留部とに巻き掛けられた環状体とで構成されている。そして、掛留部の回転中心と外周面との距離が、その外周面の一部とその他の部分との間で異なるように、言い換えれば、前記掛留部の回転中心と同心の円形状とはならないように掛留部の外周面が形成されている。
【００１３】
そして、例えば、伸縮自在な環状体を掛留部と被掛留部とに巻き掛けた状態で、軸体を中心に掛留部を回転させれば、環状体の長さは変化する。即ち、環状体が最も伸びた時の回転位置における掛留部と被掛留部との位置関係が、本発明の掛留具の掛留状態に該当する。一方、前記環状体の伸びが最も少ない時の回転位置における掛留部と被掛留部との位置関係が、本発明の掛留具の非掛留状態に該当する。環状体の張り具合としては、前者が緊張状態であり、後者が弛緩状態である。
【００１４】
従って、前記掛留状態の位置関係における掛留部と被掛留部とに環状体を巻き掛けたとき、環状体の周長を環状体が所定の緊張状態となる長さとすれば、掛留部を回転させて前記非掛留状態としたときの環状体は弛緩状態となる。すると、巻き掛け状態の環状体を被掛留部から外すことができる。
【発明の効果】
【００１５】
本発明の掛留具においては、容器の本体又はカバー体のいずれか一方に形成された軸体に回転自在に板状の掛留部を軸支させ、その掛留部の回転により掛留部と被掛留部とに巻き掛けた環状体の張り具合を緊張状態と弛緩状態との間で変えられるようにした。そのため、掛留部を回転させる空間があれば、狭い空間に配置された容器の場合であっても、操作性に優れた容器の掛留具を提供することができる。
【発明を実施するための最良の形態】
【００１６】
（第１の実施形態）
以下、本発明を具体化した掛留具１の実施形態を図１〜図５を用いて説明する。
図１及び図２に示すように、本実施形態においては、合成樹脂成形品であるエアクリーナケースのカバー体９に一体に形成された軸体６に板状体の掛留部２が回転自在に軸支されている。そして、エアクリーナケースの本体８に被掛留部３が形成され、掛留部２の外周面を形成する辺部２ａと被掛留部３の外周面とに環状体４が弛緩状態に巻き掛けられている。この環状体４の図１に示す弛緩状態は、被掛留部３、軸体６及び角部２ｂがこの順に直線状に配置されることにより得られる。また、被掛留部３の対向面３ａとカバー体９に形成された被掛留受部５の対向面５ａとは当接状態にある。しかし、この状態は、本体８に対してカバー体９が単に閉じられているだけであり、弛緩状態にある環状体４を被掛留部３から外せば、カバー体９を開けることができる状態にあることを示している。
【００１７】
掛留部２の外周面はいわゆるルーローの三角形状に形成され、辺部２ａは外側に凸の円弧状面である。従って、掛留部２は、掛留部２の重心位置に穿設された軸受孔２ｃを中心に１２０度回転されれば、同一姿勢を示すことになる。三角形の角に相当する３ヶ所の角部２ｂのそれぞれの内側には操作部としての操作ピン７が掛留部２と一体にその表面側に立設されている。なお、角部２ｂの外周面は面取りされて曲面となっている。また、掛留部２とカバー体９との間にはスペーサー６ｂが介在されており、軸体６の先端部にクリップ６ａが装着されて、掛留部２の軸体６からの脱落が防止されている。
【００１８】
図３に示すように、掛留部２は、操作ピン７を操作することにより、図１に示す状態から時計回りあるいは反時計回りの方向に６０度回転されて、被掛留部３、軸体６及び辺部２ａの中心部がこの順に直線状に配置されている。この配置の掛留部２と被掛留部３とに巻き掛けられた環状体４は、最も緊張した状態となっており、被掛留部３を掛留部２の側へ引き付けて、対向面３ａと対向面５ａとを密着状態にしている。このとき、本体８とカバー体９とは締結状態となる。
【００１９】
また、図３に示すような配置の掛留部２を、操作ピン７を操作することにより、左右いずれかの方向に６０度回転させれば、掛留部２と被掛留部３とに緊張状態で巻き掛けられていた環状体４は弛緩状態となる。そして、本体８とカバー体９との締結状態を解除することができる。
【００２０】
なお、掛留部２の辺部２ａと環状体４の一部とを接着剤等により結合すれば、環状体４が掛留部２から脱落することを防止できる。このとき、環状体４と結合される辺部２ａは３ヶ所のうちの１ヶ所に限定される。そして、その位置は、図３に示す環状体４の緊張状態が得られるときの配置において、図の左側に位置する２ａに限られる。また、環状体４を弛緩状態にするための掛留部２の回転方向は左右いずれの方向でもよいが、再び環状体４を緊張状態にするためには、先に回転させた方向の逆方向に回転させる必要がある。
【００２１】
本実施形態における、エアクリーナケースの本体８及びカバー体９は公知の合成樹脂材料、例えばＰＰ（ポリプロピレン）、ＰＥ（ポリエチレン）、ＰＡ（ポリアミド）等を用いた成形品である。また、同様に、掛留部２及び操作ピン７もＰＰ、ＰＥ、ＰＡ等の公知の合成樹脂材料を用いた成形品であり、射出成形により成形されている。
【００２２】
また、本実施形態の環状体４は鋼製の線状体であるワイヤであるが、帯状体としてもよく、材質も他の金属又は上記公知の合成樹脂材料に替えてもよい。合成樹脂材料を用いる場合、金属製ワイヤ等で補強するようにしてもよい。
【００２３】
（変形例）
基本形状が三角形であり、掛留部２の変形例である掛留部１０及び掛留部１１を、図４及び図５を用いて掛留部２と異なる部分を中心に説明する。
【００２４】
図４（ａ）、（ｂ）に示すように、掛留部１０は、その外周面を形成する辺部１０ａが平面であるように形成され、それぞれの辺部１０ａは互いに６０度の角度を成すように配置されている。３ヶ所の辺部１０ａの間のそれぞれの角部１０ｂは、面取りが施されて曲面となっている。そのため、掛留部２と同様に、掛留部１０は、その重心に穿設された軸受孔２ｃを中心に６０度回転されることにより、図４（ａ）で示す弛緩状態と図４（ｂ）で示す緊張状態との間で、環状体４の張り具合を変更できる。
【００２５】
更に、図５（ａ）、（ｂ）に示すように、掛留部１１の辺部１１ａは外側に凹の湾曲面に形成され、それぞれの辺部１１ａは、掛留部１１の重心に穿設された軸受孔２ｃを中心に互いに１２０度の回転対称となるように配置されている。そのため、掛留部２及び掛留部１０と同様に、掛留部１１は、軸受孔２ｃを中心に６０度回転されることにより、図５（ａ）で示す弛緩状態と図５（ｂ）で示す緊張状態との間で、環状体４の張り具合を変更できる。ただし、環状体４と掛留部１１との接触面積が小さいために、環状体４が巻き掛けられた掛留部１１を回転させる時、摩擦による回転抵抗は、掛留部２及び掛留部１０に比べ小さくて済む。３ヶ所の辺部１１ａの間のそれぞれの角部１１ｂは、円弧状の曲面となっている。なお、掛留部１１では、３ヶ所の操作ピン７は円弧状に形成されている角部１１ｂの中心と同一心に配置されている。
【００２６】
従って、上記実施形態の掛留具１によれば、以下のような効果を得ることができる。
（１）上記実施形態では、容器としてのエアクリーナケースのカバー体９に一体的に形成した軸体６に掛留部２を回転自在に外嵌して、その掛留部２とエアクリーナケースの本体８の被掛留部３とに環状体４を巻き掛けた。そして、軸体６を中心に掛留部２を回転させることにより、環状体４の張り具合を、弛緩状態と緊張状態との間で変更できるようにした。従って、３本の操作ピン７を操作して掛留部２を回転できる余地があればよいので、エンジンルームのように余分な空間のない所に配置されていても、操作性に優れた容器の掛留具１を提供することができる。
【００２７】
（２）上記実施形態では、掛留部２の外周面を、基本形状を三角形として形成した。そのため、掛留部２を６０度回転させることにより、掛留部２に巻き掛けられた環状体４をその弛緩状態と緊張状態との間で変化させることができる。
【００２８】
（３）上記実施形態では、掛留部２の辺部２ａを外側に凸の円弧状面とし、掛留部２の外周面の形状をいわゆるルーローの三角形とした。そのため、掛留部２を均等な力で回転させることができるようになり、掛留部２に巻き掛けられた環状体４をその弛緩状態から緊張状態へと変更させる操作力が小さく、且つ操作性に優れた容器の掛留具１を提供することができる。
【００２９】
（４）上記実施形態では、掛留部１１の辺部１１ａを、基本形状を三角形として外側に凹の湾曲面に形成した。そして、３ヶ所の辺部１１ａの間のそれぞれの角部１１ｂを、円弧状の曲面とした。そのため、環状体４と掛留部１１との接触面積が小さいために、環状体４が巻き掛けられた掛留部１１を回転させる時、摩擦による回転抵抗が小さいので、操作性に優れた容器の掛留具１を提供することができる。
【００３０】
（５）上記実施形態では、掛留部２を回転させるための操作ピン７を３本立設した。そのため、３本の指先で３本の操作ピン７を操作することも可能であり、３本のうちの２本の間に工具を差し込んで操作することも可能である。従って、狭い操作スペースに置かれた場合であっても、操作性に優れた容器の掛留具１を提供することができる。
【００３１】
（６）上記実施形態では、被掛留部３が環状体４により掛留部２の側へ引き付けられるとき、被掛留部３の対向面３ａは被掛留受部５の対向面５ａに密着状態となる。そのため、本体８とカバー体９とを締結できるだけでなく、本体８とカバー体９との相互のずれ（図１の上下方向のずれ）を防止することができる。
【００３２】
（第２の実施形態）
次に、本発明を具体化した掛留具１の第２の実施形態を、第１実施形態と異なる部分を中心に図６及び図７を用いて説明する。
【００３３】
図６及び図７に示すように、本実施形態においては、外周面がいわゆるルーローの三角形状に形成された１個の掛留部２に対し、２個の被掛留部３が対応するように配置されて一対の掛留具１を形成している。それぞれの被掛留部３は、掛留部２が軸支される軸体６に対して互いに１２０度の角度を成すように配置されている。このように配置された１個の掛留部２及び２個の被掛留部３に、２個の環状体４が、図６、７の紙面に垂直方向において、互いに干渉しないように巻き掛けられている。従って、掛留部２を回転させれば、２個の被掛留部３との間に巻き掛けられた２個の環状体４の張り具合を緊張状態と弛緩状態との間で同時に変更できる。また、２個の被掛留部３を結ぶ方向（図７の左右方向）に対して掛留部２を位置決めできる。
【００３４】
図６に示す一対の掛留具１は、２個の環状体４が弛緩状態にあるときの配置であり、本体８を閉じているカバー体９を開けることが可能であると共に、カバー体９を周方向（図の左右方向）に移動することが可能な状態である。
【００３５】
図７に示す一対の掛留具１は、２個の環状体４が緊張状態にあるときの配置であり、本体８に対してカバー体９が締結されると共に、カバー体９が周方向（図７の左右方向）に移動しないように位置決めされている。
【００３６】
そして、この第２実施形態においては、第１の実施形態における効果に加えて、以下の効果を得ることができる。
（７）上記実施形態では、１個の掛留部２に対して２個の被掛留部３を、それぞれの被掛留部３が軸体６に対して互いに１２０度の角度を成すように配置し、それぞれに環状体４を巻き掛け、互いに干渉しないように配置した。従って、１個の掛留部２を回転させれば、２個の被掛留部３との間に巻き掛けられたそれぞれの環状体４の張り具合を緊張状態と弛緩状態との間で同時に変更することができる。また、２個の被掛留部３を結ぶ方向（図７の左右方向）に対して掛留部２を位置決めできるので、容器本体に対してカバー体が周方向にずれることを防止することができる。
【００３７】
（第３の実施形態）
次に、本発明を具体化した掛留具１の第３の実施形態の掛留部１２を、第１及び第２の実施形態と異なる部分を中心に図８を用いて説明する。
【００３８】
図８（ａ）、（ｂ）に示すように、掛留部１２の外周面は一対の半円状の辺部１２ａと、その間を連結する２ヶ所の平面状の辺部１２ｂとにより形成されている。そのため、掛留部１２を、その重心に穿設されている軸受孔２ｃを中心に１８０度回転させた時、掛留部１２は同一姿勢を示す。また、半円状の辺部１２ａの中心よりも外方の２ヶ所に操作ピン７が立設され、操作ピン７、軸受孔２ｃ及び操作ピン７がこの順に直線状に配置されている。従って、掛留部１２を９０度回転させることにより、図８（ａ）で示す弛緩状態と図８（ｂ）で示す緊張状態との間で、環状体４の張り具合を変更することができる。
【００３９】
本実施形態の掛留部１２の形状は、半円状の辺部１２ａと平面状の辺部１２ｂとから形成されるものに限らず、軸受孔２ｃを中心に１８０度回転させた時に同一姿勢を示すものであればよい。ただし、円形（真円）を除く。
【００４０】
（８）上記実施形態では、掛留部１２を、その重心に穿設されている軸受孔２ｃを中心に１８０度回転させた時、掛留部１２が同一姿勢を示すようにした。従って、掛留部１２を９０度回転させることにより、弛緩状態と緊張状態との間で、環状体４の張り具合を変更することができる。そのため、公知のスイッチ類と同様に掛留部１２を９０度回転させれば、環状体４の張り具合を変更できるので、操作性に優れた容器の掛留具１を提供できる。
【００４１】
（第４の実施形態）
次に、本発明を具体化した掛留具１の第４の実施形態の掛留部１３を、第１、第２及び第３の実施形態と異なる部分を中心に図９を用いて説明する。
【００４２】
図９（ａ）、（ｂ）に示すように、掛留部１３の外周面は一つの円により形成されているが、軸受孔２ｃは掛留部１３の重心とは異なる位置に穿設されている。そのため、軸受孔２ｃと外周面との距離において、最も長い部分と最も短い部分とは軸受孔２ｃに対して互いに反対側に位置する。従って、掛留部１３を１８０度回転させることにより、図９（ａ）で示す弛緩状態と図９（ｂ）で示す緊張状態との間で、環状体４の張り具合を変更することができる。掛留部１３を回転させるための操作ピン７は、３本が互いに等間隔且つ重心から等距離に立設されている。また、３本のうちの２本の操作ピン７の間に軸受孔２ｃが配置されている。
【００４３】
本実施形態の掛留部１３の形状は、外周面が円形であるものに限らず、掛留部１３の重心と異なる位置に軸受孔２ｃが穿設されたものであれば、いかなる形状のものであってもよい。
【００４４】
（９）上記実施形態では、掛留部１３の外周面を円形とし、重心とは異なる位置に軸受孔２ｃを穿設した。そのため、掛留部１３を回転させるとき、その外周面に対する環状体４の巻き掛け状態は徐々に変化するので、その変化に対応して操作力も徐々に変化させることになる。従って、操作性に優れた容器の掛留具１を提供できる。
【００４５】
（変更例）
なお、上記実施形態は以下のように変更してもよい。
・操作部として２本又は３本の操作ピン７を設けたが、操作ピン７の数は１本でも４本以上であってもよい。
・操作部として操作ピン７を設ける替わりに、掛留部２、１０〜１３の表面に穴を形成し、その穴に工具を挿して掛留部２、１０〜１３を回転するようにしてもよい。
・掛留部２の辺部２ａに環状体４の一部を接着剤で結合するようにしたが、接着剤を用いずに辺部２ａ又は環状体４の一部を加熱して熱溶着してもよい。また、コ字状の留めピンを用いる等の機械的方法で環状体４の一部を辺部２ａに結合してもよい。また、掛留部１０〜１３と環状体４との関係においても同様である。
・軸体６の先端にクリップ６ａを装着して掛留部２、１０〜１３の脱落を防止するようにしたが、軸体６の先端部を溶融して傘状に広がるようにする熱かしめとしてもよい。
・被掛留部３が当接する被掛留受部５をカバー体９に設けたが、必ずしも設けなくてもよい。
・前記第１、２実施形態において、軸受孔２ｃの位置を偏心位置に設けてもよい。
・掛留部の形状を前記各実施形態とは異なる形状、例えば楕円形状、涙滴形状、三角形以外の偏心多角形状、あるいは図１０及び図１１に示す異形状等、各種の形状に変更してもよい。
【００４６】
（他の技術的思想）
さらに、上記実施形態より把握できる技術的思想について、その効果と共に以下に記載する。
○前記環状体は、その一部が前記掛留部に結合されていることを特徴とする請求項１ないし７のうちいずれか一項に記載の容器の掛留具。このように構成した場合、前記環状体の前記掛留部からの脱落が防止される。
【図面の簡単な説明】
【００４７】
【図１】本発明の掛留具の第１実施形態を模式的に示す平面図。
【図２】図１におけるＡＡ矢視の断面図。
【図３】第１実施形態の掛留部において環状体が緊張状態にあるときを模式的に示す平面図。
【図４】本発明の掛留具の第１実施形態における掛留部の変形例を示し、（ａ）は環状体が弛緩状態にあり、（ｂ）は環状体が緊張状態にあるときを模式的に示す平面図。
【図５】本発明の掛留具の第１実施形態における掛留部の他の変形例を示し、（ａ）は環状体が弛緩状態にあり、（ｂ）は環状体が緊張状態にあるときを模式的に示す平面図。
【図６】本発明の掛留具の第２実施形態において環状体が弛緩状態にあるときを模式的に示す平面図。
【図７】本発明の掛留具の第２実施形態において環状体が緊張状態にあるときを模式的に示す平面図。
【図８】本発明の掛留具の第３実施形態における掛留部を示し、（ａ）は環状体が弛緩状態にあり、（ｂ）は環状体が緊張状態にあるときを模式的に示す平面図。
【図９】本発明の掛留具の第４実施形態における掛留部を示し、（ａ）は環状体が弛緩状態にあり、（ｂ）は環状体が緊張状態にあるときを模式的に示す平面図。
【図１０】本発明の掛留具の変更例を模式的に示す平面図。
【図１１】本発明の掛留具の他の変更例を模式的に示す平面図。
【符号の説明】
【００４８】
１…掛留具、２，１０，１１，１２，１３…掛留部、３…被掛留部、４…環状体、５…被掛留受部、６…軸体、８…本体、９…カバー体。
【図１】
2010014227.tif 000003
【図２】
2010014227.tif 000004
【図３】
2010014227.tif 000005
【図４】
2010014227.tif 000006
【図５】
2010014227.tif 000007
【図６】
2010014227.tif 000008
【図７】
2010014227.tif 000009
【図８】
2010014227.tif 000010
【図９】
2010014227.tif 000011
【図１０】
2010014227.tif 000012
【図１１】
2010014227.tif 000013